(57)【要約】【課題】キャスター装置を設けなくても、大きな通路部を開閉可能とする扉体を安定して支持することができ、操作性を良好とした門扉装置を提供する。【解決手段】戸当り側と吊元側の二つの扉体ユニット３により扉体２を形成し、一方の扉体ユニット３に形成したガイド部に他方の扉体ユニット３に形成した被ガイド部を係合して両扉体ユニット３，３を相互移動自在に連結すると共に、吊元側扉体ユニット３１の戸当り側端部３１３より戸当り側扉体ユニット３２を進退自在とし、吊元側扉体ユニット３１の吊元側端部３１２を通路部の一側位置に立設した吊元支柱６に水平回動自在に取付け、吊元支柱６に水平回動自在に取付けた支持アーム８の回動端部８２を吊元側扉体ユニット３１の戸当り側端部３１３に連結する。【選択図】　　　　図１
2004019326.tif 000002
【特許請求の範囲】
【請求項１】
通路部を開閉可能とする扉体を備えた門扉装置であって、該扉体は戸当り側と吊元側の二つの扉体ユニットにより形成され、一方の扉体ユニットに形成したガイド部に他方の扉体ユニットに形成した被ガイド部を係合して両扉体ユニットを相互移動自在に連結すると共に、吊元側扉体ユニットの戸当り側端部より戸当り側扉体ユニットを進退自在とし、吊元側扉体ユニットの吊元側端部を通路部の一側位置に立設した吊元支柱に水平回動自在に取付け、吊元支柱に水平回動自在に取付けた支持アームの回動端部を吊元側扉体ユニットの戸当り側端部に連結したことを特徴とする門扉装置。
【発明の詳細な説明】
【０００１】
【発明の属する技術分野】
この発明は、通路部を開閉可能とする扉体を備えた門扉装置であって、特に工場や学校等の出入り口等の大きな通路部の開閉に適した門扉装置に関するものである。
【０００２】
【従来の技術】
従来、扉体の吊元端部をヒンジ装置を介して吊元支柱に取付け、通路部を開閉可能とした開き門扉が知られている。このような開き門扉によると、大きな通路部を開閉する場合、扉体の幅を通路部の幅に合わせて大きくしなければならず、それに合わせて大きな扉体の回動スペースを要するものであった。
一方、引戸門扉とすれば、開き門扉のように大きな回動スペースは必要無くなるものの、間口方向に扉体の幅に相当する引き込みスペースが必要となり、間口の狭い場所での施工には適さないものであった。
【０００３】
実公昭６１−３６７２０号、実公平４−２０１５８号、実開昭５９−７８４９７号公報には、複数の扉体ユニットを連結して伸縮自在な扉体を形成し、該扉体の吊元端を吊元支柱に水平回動自在に連結し、通路部を閉鎖する際には扉体を伸長し、通路部を開放する際には縮めた扉体を回動する門扉装置が開示されている。
このような門扉装置によれば、扉体を伸長することによって大きな通路部が閉鎖可能となり、通路部を開放する際には扉体ユニットを重ね合わせて扉体の幅を縮め、幅の小さくなった扉体を回動収納することにより、扉体の回動スペースを小さく抑えることができ、狭小地での施工に好適なものである。
【０００４】
しかしながら、上記門扉装置は大きな扉体を安定して支持するために、夫々の扉体ユニットの下部にキャスター装置を設けており、キャスター装置によって扉体を支持しているため、門扉装置が設置される路面の不陸を予め修正しておかなければならないものであった。また、路面の不陸を修正していても、路面に水切り勾配がある場合、上り勾配に向けて扉体を回動収納する際の抵抗が大きく、操作性の悪いものであった。さらに、積雪の際には除雪を行わなければならず、甚だ使い勝手の悪いものであった。
【０００５】
【発明が解決しようとする課題】
本発明の目的は、キャスター装置を設けなくても、大きな通路部を開閉可能とする扉体を安定して支持することができ、操作性を良好とした門扉装置を提供するものである。
【０００６】
【課題を解決するための手段】
本発明者等は、このような事情に鑑み鋭意検討を重ねた結果、通路部を開閉可能とする扉体を備えた門扉装置であって、該扉体は戸当り側と吊元側の二つの扉体ユニットにより形成され、一方の扉体ユニットに形成したガイド部に他方の扉体ユニットに形成した被ガイド部を係合して両扉体ユニットを相互移動自在に連結すると共に、吊元側扉体ユニットの戸当り側端部より戸当り側扉体ユニットを進退自在とし、吊元側扉体ユニットの吊元側端部を通路部の一側位置に立設した吊元支柱に水平回動自在に取付け、吊元支柱に水平回動自在に取付けた支持アームの回動端部を吊元側扉体ユニットの戸当り側端部に連結したことによって、所期の目的を達成したものである。
【０００７】
【作用】
この発明によれば、吊元側扉体ユニットの吊元側端部を通路部の一側位置に立設した吊元支柱に水平回動自在に取付け、吊元支柱に水平回動自在に取付けた支持アームの回動端部を吊元側扉体ユニットの戸当り側端部に連結しているので、吊元端に位置する扉体ユニットは支持アームによって安定して水平状態に保つことができ、吊元側扉体ユニットに戸当り側扉体ユニットを連結し、吊元側扉体ユニットの戸当り側端部より戸当り側扉体ユニットを進退自在としているので、大きな扉体をキャスター装置を設けることなく安定して支持することができ、自重による扉体戸当り端部の垂れ下がりを防止し得て、扉体を回動収納する際の操作性も良好なものとなる。
【０００８】
【発明の実施の形態】
以下、発明の実施の形態を実施例に基づき説明する。
図中１は本発明門扉装置を表わし、門扉装置１は扉体２によって通路部Ｒを開閉自在としている。扉体２は、吊元側扉体ユニット３１と戸当り側扉体ユニット３２の二つの扉体ユニット３を連結して形成され、戸当り側扉体ユニット３２の一側面に設けたガイド部４に、吊元側扉体ユニット３１に設けた被ガイド部５を係合して両扉体ユニット３１，３２が相互移動自在に連結されている。
【０００９】
本発明の実施例においてガイド部４は、戸当り側扉体ユニット３２の上下横框３１１の長手方向にわたって一体形成したガイド溝４１であり、被ガイド部５はガイド溝４１に夫々係合する一対のローラ５１，５１である。
吊元側扉体ユニット３１の戸当り側端部の上下位置に２個一組のローラ５１が４箇所に設けられ、上側に４個、下側に４個の合計８個のローラ５１が配設されている。ガイド溝４１は戸当り側扉体ユニット３２の上横框３１１と下横框３１１に夫々設けられ、夫々のガイド溝４１に２組のローラ５１（合計４個のローラ）が係合している。一組のローラ５１，５１は上下方向に離間するよう配設されており、ガイド溝４１の上下の内壁に一組のローラ５１，５１の上下部が夫々当接し、ガイド溝４１とローラ５１の間に発生するガタを防いでいる。なお、ガイド溝４１の本数とそれに係合するローラ５１の数は、適宜変更できる。
【００１０】
このように扉体２は、吊元側と戸当り側の二つの扉体ユニット３１，３２を相互移動自在に連結し、扉体２の幅が伸縮自在となるよう構成されている。
本実施例においては、戸当り側扉体ユニット３２にガイド部４を、吊元側扉体ユニット３１に被ガイド部５を設けているが、戸当り側扉体ユニット３２に被ガイド部５を、吊元側扉体ユニット３１にガイド部４を設けた逆の構成としても構わない。また、被ガイド部５はローラ５１としたが、樹脂等の摺動子により形成し、ガイド部４と係合しても構わない。
【００１１】
通路部Ｒの一側位置には吊元支柱６を立設し、吊元支柱６には吊元側扉体ユニット３１の吊元側端部３１２がヒンジ装置７を介して連結され、吊元側扉体ユニット３１とこれに連結される戸当り側扉体ユニット３２が水平回動自在に支持される。吊元支柱６は扉体２の上端高さよりも上方に延長して形成されており、吊元支柱６の上端と吊元側扉体ユニット３１の戸当り側端部３１３の間が支持アーム８によって連結されている。
【００１２】
支持アーム８の基端部８１は吊元支柱６とヒンジ装置９を介して連結されており、支持アーム８の回動端部８２は連結装置１０を介して吊元側扉体ユニット３１の戸当り側端部３１３と連結されている。連結装置１０は支持アーム８の回動端部８２が上下方向に回動自在となるよう連結しており、支持アーム８の中間位置にはターンバックル８３が設けられ、支持アーム８の長さを調節して吊元側扉体ユニット３１の水平位置が調整できる。
吊元側扉体ユニット３１の吊元側端部３１２の高さ位置に比べて戸当り側端部３１３が低いようであれば、ターンバックル８３を回動して支持アーム８の長さを短くし、吊元側扉体ユニット３１の戸当り側端部３１３を引き上げて、吊元側扉体ユニット３１が水平位置となるように調整する。また、吊元側扉体ユニット３１の戸当り側端部３１３が高いようであれば、支持アーム８を長くすれば良い。
【００１３】
以上の構成からなる門扉装置１によれば、先ず通路Ｒを閉鎖した閉成状態においては、図２に実線で記載のとおり扉体２は伸長しており、戸当り側扉体ユニット３２のガイド溝４１の吊元側側壁がローラ５１に当接するまで移動している。この状態において、人が出入りする程度扉体２を開けたい場合は、戸当り側扉体ユニット３２を吊元側扉体ユニット３１に沿って図２中Ｘの方向に移動するだけで良い。次に、通路部Ｒを全て開放した開成状態とするには、戸当り側扉体ユニット３２を吊元支柱６に向けて、ガイド溝４１の戸当り側の側壁がローラ５１に当接するまで移動し、吊元側扉体ユニット３１と戸当り側扉体ユニット３２が重なり合った状態となり、扉体２は吊元支柱６を中心として収納位置に回動（図２中Ｙの方向）して開成状態となる。この時、扉体２の幅は最小に縮められているので、扉体２の回動スペースＷは小さくて済む。また、支持アーム８によって吊元側扉体ユニット３１が支持されているので、扉体２全体の重さがヒンジ装置７に集中して回動抵抗が大きくなり、操作性が悪化するのを防いでいる。
開成状態から通路部Ｒを閉鎖した閉成状態とする場合は、上記と逆の操作を行えば良い。
【００１４】
なお、上記実施例において門扉装置１は片開きタイプのものについて説明したが、門扉装置１を対称に配置して両開きタイプとしても構わない。
図中１１は扉体２を閉成状態に保持する落し棒錠装置であり、１２は戸当り支柱、１３は扉体２を開閉操作する取手である。
図示してはいないが吊元側扉体ユニット３１と戸当り側扉体ユニット３２との間に、扉体２が伸長した状態と、縮められた状態を保持するロック装置を設けることにより、閉成状態におけるの扉体２の伸長を維持し、吊元支柱６を中心に扉体２が回動する際、遠心力によって扉体２の戸当り側扉体ユニット３２が不用意に飛び出すのを防止できる。
【００１５】
【発明の効果】
本発明門扉装置によれば、吊元側扉体ユニットの戸当り側端部より戸当り側扉体ユニットを進退自在とし、吊元側扉体ユニットの吊元側端部を通路部の一側位置に立設した吊元支柱に水平回動自在に取付け、吊元支柱に水平回動自在に取付けた支持アームの回動端部を吊元側扉体ユニットの戸当り側端部に連結しているので、キャスターを設けなくても吊元側扉体ユニットと戸当り側扉体ユニットは水平状態を保つことができ、操作性の良好な門扉装置を得ることができる。
【図面の簡単な説明】
【図１】本発明門扉装置の正面図
【図２】本発明門扉装置の動作状態を表す平面図
【図３】本発明門扉装置における扉体の一部を省略した縦断面図
【図４】本発明門扉装置の一部を省略した要部拡大図
【符号の説明】
１　　　門扉装置
２　　　扉体
３　　　扉体ユニット
４　　　ガイド部
５　　　被ガイド部
６　　　吊元支柱
８　　　支持アーム
３１　　　吊元側扉体ユニット
３２　　　戸当り側扉体ユニット
４１　　　ガイド溝
５１　　　ローラ
Ｒ　　　通路部
【図１】
2004019326.tif 000003
【図２】
2004019326.tif 000004
【図３】
2004019326.tif 000005
【図４】
2004019326.tif 000006